(57)【特許請求の範囲】
【請求項１】
所定条件が成立してから所定時間経過後に特定入賞口を設定された時間だけ開放し、該特定入賞口に入賞した遊技球が特定入賞領域を通過したことにより遊技者にとって有利となる権利状態を発生するパチンコ機において、
前記所定条件が成立するまで第１の回転速度で回転するように制御されかつ特定入賞口を入賞した遊技球を貯留するための一般貯留部及び特別貯留部を有する回転体を備え、前記特別貯留部に貯留された遊技球のみを前記特定入賞領域への経路に振り分ける特定入賞手段と、
前記所定条件が成立したときから前記特定入賞口へ遊技球が入賞するまで前記第１の回転速度より高速の第２の回転速度で前記回転体を回転させ、前記特定入賞口への遊技球の入賞から特定入賞口が閉じるまで前記第２の回転速度より低速の第３の回転速度で前記回転体を回転させ、前記特定入賞口が閉じたときから前記第１の回転速度で前記回転体を回転させる回転制御手段と、
を備えたことを特徴とするパチンコ機。
【請求項２】
前記第３の回転速度は、前記第１の回転速度よりもさらに低速であることを特徴とする請求項１のパチンコ機。
【請求項３】
遊技球の前記特定入賞領域への通過を契機に開放時間変更図柄を変動させた後に停止表示を行い、
前記停止表示された図柄によって、次回の前記特定入賞口の開放時間を、前記図柄を用いて報知することを特徴とする請求項１又は請求項２記載のパチンコ機。
【発明の詳細な説明】
【０００１】
【発明の属する技術分野】
本発明は、遊技者にとって有利となる状態を発生するパチンコ機に係り、詳細には、所定条件の成立により特定入賞口を開放し、該特定入賞口内の特定入賞領域を遊技球が通過したことにより遊技者にとって有利となる権利状態を発生するパチンコ機に関する。
【０００２】
【従来の技術】
従来、ある種のパチンコ機では、遊技盤中央のゲートを遊技球が通過したときに普通図柄表示器に表示された複数の図柄を所定時間変動させ、図柄の停止時に例えば７７７等のようにすべての図柄が揃った特定の組み合わせが表示された場合を大当たりとしていた。
【０００３】
このようなパチンコ機では、大当たりが発生した状態で、常時一定の低回転速度で回転する回転盤を備えた特定入賞装置がその特定入賞口（普通電動役物に係る入賞口）を開放するように制御される。回転盤には複数の球貯留部が設けられており、特定入賞口から入賞した遊技球は、いずれかの球貯留部に貯留される。これらの球貯留部には、回転盤の回転と共に貯留した球を特別装置作動領域へ至る経路に振り分ける特別貯留部（Ｖゾーン）と、特別装置作動領域以外の例えば一般入賞として処理する一般貯留部とがある。
【０００４】
Ｖゾーンに遊技球が貯留されると、回転盤が所定角度回転したときに、貯留された遊技球が特別装置作動領域へ至る経路に振り分けられ、遊技者にとって有利となる権利状態が発生する。これに対し、一般貯留部に遊技球が貯留されても、貯留された遊技球が一般入賞として処理されて権利状態が発生しない。従って、権利状態を発生させるためには、特定入賞口へ入賞させた遊技球の１つがＶゾーンへ貯留されるように遊技球を発射する必要がある。このとき、できるだけ少ない球数で権利状態を獲得するほど遊技者が有利となる。
【０００５】
なお、Ｖゾーンと一般貯留部とは、上記のような機能の違いを持たせるため、一見して異なる形状とされており、このため、特定入賞装置に設けられた窓からＶゾーンが判別できる。
【０００６】
【発明が解決しようとする課題】
しかしながら、上記従来のパチンコ機では、回転盤が常時一定の低い回転速度で回転しており、遊技者が容易にＶゾーンの回転位置を判断できるため、特定入賞口を開放してもＶゾーンが入賞球を貯留可能な回転位置に無いときは球を発射せず、Ｖゾーンが入賞球を貯留可能な回転位置にくるタイミングを見計らって球を発射させるといういわゆる狙い打ちが可能となる、という問題点が生じる。
【０００７】
このような狙い打ちによって、極端に少ない球数で権利状態が発生することとなり、好ましくない。
【０００８】
本発明は上記事実を考慮し、Ｖゾーンへの狙い打ちを防止し、適度な球数で権利状態が発生することを可能としたパチンコ機を提供することを目的とする。
【０００９】
【課題を解決するための手段】
上記目的を達成するために、請求項１の発明は、所定条件が成立してから所定時間経過後に特定入賞口を設定された時間だけ開放し、該特定入賞口に入賞した遊技球が特定入賞領域を通過したことにより遊技者にとって有利となる権利状態を発生するパチンコ機において、前記所定条件が成立するまで第１の回転速度で回転するように制御されかつ特定入賞口を入賞した遊技球を貯留するための一般貯留部及び特別貯留部を有する回転体を備え、前記特別貯留部に貯留された遊技球のみを前記特定入賞領域への経路に振り分ける特定入賞手段と、前記所定条件が成立したときから前記特定入賞口へ遊技球が入賞するまで前記第１の回転速度より高速の第２の回転速度で前記回転体を回転させ、前記特定入賞口への遊技球の入賞から特定入賞口が閉じるまで前記第２の回転速度より低速の第３の回転速度で前記回転体を回転させ、前記特定入賞口が閉じたときから前記第１の回転速度で前記回転体を回転させる回転制御手段と、を備えたことを特徴とする。
【００１０】
請求項１の発明では、所定条件が成立すると、成立時から所定時間経過後に、設定された開放時間だけ特定入賞口を開放する。ここで、所定条件として、所定の入賞口に遊技球が入賞したときに複数の図柄を所定時間それぞれ変動表示し、停止時の図柄の組み合わせが所定の表示に一致するという条件が例として挙げられる。
【００１１】
そして、回転制御手段は、所定条件が成立したときから特定入賞口へ遊技球が入賞するまで第１の回転速度より高速の第２の回転速度で特定入賞手段の回転体を回転させる。すなわち、所定条件が成立して特定入賞口が開放されて遊技球が入賞するまで通常より高速回転で回転体が回転されるため、回転体に備えられた特別貯留部の回転位置を予測できなくなり、特別貯留部に入賞球が貯留されるタイミングを見計らって遊技球を単発して権利を獲得する狙い打ちを防止できる。
【００１３】
さらに、回転制御手段は、開放中の特定入賞口へ遊技球が入賞すると、第２の回転速度より低速の第３の回転速度で回転体を回転させ、特定入賞口が閉じたとき、第１の回転速度で回転体を回転させる。このように本発明では、遊技球が特定入賞口へ入賞すると回転速度を低速側に変化させるので、入賞のタイミングによって回転体の特別貯留部の回転位置が特定入賞口が開放される毎に異なってくる。これにより、特別貯留部の回転位置の予測がさらに困難となり、特別貯留部に入賞球が貯留されるタイミングを見計らって遊技球を単発する狙い打ちをさらに防止できる。
【００１４】
請求項２の発明は、請求項１の発明において、前記第３の回転速度が、前記第１の回転速度よりもさらに低速であることを特徴とする。
【００１５】
請求項２の発明では、回転制御手段は、開放中の特定入賞口へ遊技球が入賞すると、第１の回転速度より低速の第３の回転速度で回転体を回転させ、特定入賞口が閉じたとき、第１の回転速度で回転体を回転させる。このように本発明では、特定入賞口への遊技球の入賞から特定入賞口が閉じるまで通常の回転速度よりもさらに低速の回転速度で回転体を回転させるため、遊技者にとって、特別貯留部の回転位置のタイミングを取ることがさらに困難となり、狙い打ちをさらに防止できる。また、このように高速回転から低速回転に移行したことにより、一般貯留部に貯留された遊技球の球噛みや特別貯留部に貯留された遊技球が高速回転時に特定入賞領域への経路に振り分けられなくなるおそれを防止して誤動作を未然に防ぐことができる。
請求項３の発明では請求項１又は請求項２記載の発明において、遊技球の前記特定入賞領域への通過を契機に開放時間変更図柄を変動させた後に停止表示を行い、前記停止表示された図柄によって、次回の前記特定入賞口の開放時間を、前記図柄を用いて報知することを特徴とする。
【００１６】
【発明の実施の形態】
以下、図面を参照して本発明の実施の形態に係るパチンコ機を説明する。
【００１７】
（第１の実施の形態）
まず、本発明の第１の実施の形態に係るパチンコ機の遊技盤の正面図を図１に示す。なお、第１の実施の形態のパチンコ機は、図１５（ａ）に示すような確率非変動型のパチンコ機である。
【００１８】
図１に示すように、本遊技盤１０は、図示しない発射装置により発射された遊技球を所定のラインに沿って導くための外ガイドレール１２と、各種の表示灯や入賞口から構成される遊技部１１と、遊技球を獲得できるいずれの入賞口に入球しなかった遊技球をアウト穴２４に導くための内ガイドレール１３と、内ガイドレール１３の先端部に配置されてファール打ちを防止するためのファール球止め１７と、から構成されている。
【００１９】
遊技部１１には、該遊技部のほぼ中央部付近に図示しない普通図柄作動ゲートスイッチ（図２の３７）を備えた普通図柄作動ゲート１が配置されており、該ゲート１の上方には、３桁の図柄を表示する普通図柄表示器２が配置されている。この普通図柄表示器２は、図柄の表示部分が左枠２Ａ、中枠２Ｂ、右枠２Ｃの３つの枠に分かれており、各枠毎に複数種類の図柄のいずれかの図柄をそれぞれ別個に表示することができる。
【００２０】
なお、遊技球が普通図柄作動ゲート１に入球し、普通図柄作動ゲートスイッチが入球を検出すると、普通図柄表示器２に表示された３つの図柄（左、中、右）が変動を開始し、所定時間Ｔ（例えば約５．７秒）経過後に左、中、右の順序で図柄の変動が停止する。この停止した状態の普通図柄表示器２の３桁の図柄の組み合わせが所定の大当たり表示（例えば「７７７」、「横綱・横綱・横綱」等）のいずれかに一致した場合に遊技者が所定の遊技を行うことにより大入賞が可能となる。
【００２１】
なお、本実施の形態に係る普通図柄表示器２の表示が大当たり表示に一致する大当たり発生確率Ｐ0 は１／２３に設定されている。すなわち、この確率Ｐ0 は図１５（ｂ）、（ｃ）に示した従来の確率変動型のパチンコ機の初回の大当たり発生確率（１／２５０）と比べて大きい値とされている。
【００２２】
また、この普通図柄作動ゲート１には該ゲートに入賞した遊技球を記憶する機能が備えられており、この記憶可能な最高球数は所定個数（例えば最高４個）に限定されている。例えば、入賞した遊技球の記憶があれば、全図柄が停止して役確認後、はずれの場合は、更に0.503 秒〜0.565 秒後、また当たりの場合は後述する特定入賞装置３の動作終了から33.497秒後（但し、後述する特別装置が作動しなかった時は3.497 秒後）、引き続き図柄が変動表示を開始する。
【００２３】
また、普通図柄作動ゲート１の下方には、普通図柄表示器２の図柄が大当たり表示に一致する大当たりが発生すると、そのときに設定されているモードに応じた開放時間だけ特定入賞口３ａを開放する特定入賞装置３が配置されている。この特定入賞装置３は、特定入賞口３ａから入球した遊技球を複数の経路に振り分け、振り分けられた遊技球のいずれか１つを特別装置作動領域を通過させ、残りの遊技球を一般入賞として処理される経路へ振り分ける。この特別装置作動領域を遊技球が通過することにより図示しない特別装置の作動及び停止が決定され遊技者にとって有利な状態である権利状態が生成したり消滅したりする。なお、特定入賞装置３の詳細な構成は後述する。
【００２４】
また、遊技盤１０に向かって普通図柄表示器２の右側には、切り欠きを有する回転体で構成される第３種始動口５が設けられており、この第３種始動口５の下方には、大当たり遊技のための大入賞口６が設けられている。上記特別装置が作動中の権利状態で第３種始動口５に遊技球が入球すると、所定時間大入賞口６が開放されるように制御される。なお、この大入賞口６は、通常の入賞口が入賞球１個につき６個の遊技球が獲得できるのに対し、入賞球１個につき１３個の遊技球が獲得できる。すなわち、権利が発生した状態での第３種始動口５への入球は大当たり遊技を可能とする条件となる。
【００２５】
また、大入賞口６の下方には、一般入賞口８が配置されており、この一般入賞口８には、１〜２桁の数字（例えば「１」〜「１６」の整数）を変動表示する開放時間変更図柄表示器７が備えられている。この開放時間変更図柄表示器７は、特別装置が作動すると同時に図柄を変動表示し、所定時間後に表示図柄を停止させる。後述するように、この開放時間変更図柄表示器７の停止時の図柄に応じて普通図柄表示器２の次の大当たり発生時における特定入賞装置３の開放時間を定めるモードが決定される。
【００２６】
さらに、遊技部１１には、ランプ風車１４、風車１５、遊技部１１を照明するための表示灯１６、ラッキーナンバー表示器を備えた一般入賞口１７、一般入賞口である左肩入賞口１８、普通図柄作動ゲート１を入球した遊技球の出口となるゲート出口２０が配設されている。なお、特に図示しないが、これらの入賞口への入球ルートを定めたり、入球の確率を変化させるための障害釘等が遊技盤上に適宜配設されている。
【００２７】
次に、本実施の形態のパチンコ機に係る遊技盤１０の裏面側要部のブロック図を図２に示す。
【００２８】
図２に示すように、本パチンコ機の裏面側の要部には、普通図柄作動ゲート１、普通図柄表示器２、特定入賞装置３、第３種始動口５、大入賞口６、及び開放時間変更図柄表示器７などの大当たりに関連する装置の制御を主として行う遊技盤制御装置３０と、賞球支払い及び遊技球発射に関連した装置の制御を主として行う遊技機用枠制御装置４５と、が配置されている。
【００２９】
遊技盤制御装置３０は、遊技盤１０に配置された各装置を制御・管理するための主基板３１と、複数の接続用端子が配置された端子板４４と、を備えている。
【００３０】
主基板３１は、所定のプログラムに従って各装置を制御・管理するＣＰＵ３２と、上記プログラムを格納するＲＯＭ３４と、ＣＰＵ３２の作業域として用いられるＲＡＭ３６と、外部から供給された電源を主基板３１のための電源に変換する電源回路３３と、入出力処理を行う入出力ポート３５と、から構成される。なお、ＲＯＭ３４には、普通図柄表示器２及び開放時間変更図柄表示器７の表示をランダムに発生させるための乱数や各種のパラメータが格納されている。
【００３１】
電源回路３３は、外部電源と接続された遊技機用枠制御装置４５に端子板４４を介して接続されており、外部電源から遊技機用枠制御装置４５を介して電源回路３３に電源が供給される。また、入出力ポート３５は、端子板４４を介して遊技機用枠制御装置４５と接続されており、遊技盤制御装置３０と遊技機用枠制御装置４５との間でデータのやり取りが行われる。
【００３２】
さらに、端子板４４にはホールコンピュータからの端子が接続されており、各制御装置のデータをホールコンピュータへ送出したり、ホールコンピュータからのデータやコマンドを各制御装置へ入力したりすることが可能となっている。
【００３３】
また、入出力ポート３５には、普通図柄作動ゲート１に入球した遊技球を検出するための普通図柄作動ゲートスイッチ３７と、第３種始動口５に入球した遊技球を検出するための第３種始動口スイッチ３８と、特定入賞口３ａに入球した遊技球を検出する特定入賞口入賞球検出スイッチ３ｂと、特別装置作動領域を遊技球が通過したか否かを検出する特別装置作動スイッチ６７と、後述する特定入賞装置３の回転盤の原点を検出する原点検出スイッチ６６と、が接続されている。これらのスイッチは、例えば遊技球が通過する際の光の遮断等により、遊技球の入球を検出するフォトトランジスタとカウンタ等から構成することができる。ＣＰＵ３２は、これらのスイッチが検出した信号に基づいて遊技盤１０の各装置の制御を行ったり、各スイッチを通過した球数をカウントして該カウント値に基づいた各装置の制御を行う。
【００３４】
さらに、入出力ポート３５には、普通図柄表示器２の図柄変動を実行する回路からなる普通図柄表示器用基板４０と、開放時間変更図柄表示器７の図柄変動を実行する回路からなる開放時間変更図柄表示器用基板４１と、特定入賞装置３の開閉及び回転動作を実行する回路からなる特定入賞装置用基板４２と、大入賞口６の開閉を実行する回路からなる大入賞口用基板４３と、が接続されている。これらの基板はＣＰＵ３２の指令に基づいて対応する装置の動作を実行する。
【００３５】
次に、特定入賞装置３の詳細な構成を図３乃至図７を用いて説明する。
まず、特定入賞装置３の正面図を図３に示す。図３に示すように、特定入賞装置３は、特定入賞装置３を遊技盤１１に取り付けるためのベース板５２と、遊技盤１１を流下する遊技球を本装置内に入賞させるための開閉可能な特定入賞口３ａ（図では開状態）と、特定入賞装置３の前面を覆う前飾り板５３と、を備えている。なお、前飾り板５３には開口部５５が設けられている。
【００３６】
特定入賞口３ａは、図示しない基軸を中心に各々所定角度回転する２つの対称的な翼部材５１ａ及び５１ｂから構成されている。翼部材５１ａは、特定入賞口３ａが閉から開になる時、図３のＰ1 方向に回動し、開から閉になる時は図３のＰ1 ’方向に回動する。また、翼部材５１ｂは、特定入賞口３ａが閉から開になる時、図３のＰ2 方向に回動し、開から閉になる時は図３のＰ2 ’方向に回動する。
【００３７】
次に、特定入賞装置３の内部の構成を図４の断面図及び図５の分解図を用いて説明する。
【００３８】
図４及び図５に示すように、ベース板５２と前飾り板５３との間には、フロントスロープ５６が設けられている。また、ベース板５２の裏側には、翼部材５１ａ、５１ｂの開閉の駆動源となるソレノイド５８が取り付けられている。このソレノイド５８の円筒状コイルの内方には、軸６２が収められており、この軸６２は、ソレノイド５８の電源がオフからオンになるとソレノイド内部に発生した磁場により、該内部に引き込まれて図４のＱ方向に所定距離だけ移動する。
【００３９】
また、軸６２のソレノイド５８の外部における軸６２の外周には、ばね５９が取り付けられており、ソレノイドの電源がオンからオフになると、圧縮されたばね５９が元に戻る方向の力により軸６２は図４のＱ’方向に所定の距離だけ移動する。すなわち、ソレノイド５８のオン及びオフに従い軸６２は図４のＱ及びＱ’方向にそれぞれ所定距離移動する。
【００４０】
さらに、軸６２の外部の先端には、図５の連結体６２ａを介して一対の直角状の連結アーム６０が取り付けられている。この連結アーム６０には、直角に折れ曲がっている部分に中心軸６１が取り付けられており、連結アーム６０は、軸６２が図４のＱ及びＱ’方向に所定距離移動することに対応して、中心軸６１の回りに図４のＲ及びＲ’方向に各々所定角度だけ回転する。
【００４１】
この連結アーム６０の先端部は、側面から見て略コ字形の形状とされ（クランク６０ａ）、このクランク６０ａは、ベース板５２の図５の孔７０を通ってベース板５２に直角方向に突出された翼部材５１ａ、５１ｂに各々取り付けられた連動軸（図示しない）を挟むように配置されている。なお、孔７０は、翼部材５１ａ、５１ｂの取付け軸７１の周囲に軸７１を中心とする円弧状に開けられている。連結アーム６０が図４のＲ、Ｒ’方向に回転し、クランク６０ａが上下方向に運動すると、当該クランクに挟まれた連動軸も孔７０に沿って取付け軸７１の回りに回転し、翼部材５１ａ、５１ｂが開閉運動を行う。すなわち、ソレノイド５８のオン、オフにより、翼部材５１ａ、５１ｂが開閉動作を行う。
【００４２】
また、ソレノイド５８の下方には、特定入賞口３ａを入球した遊技球を検出する入賞球検出スイッチ３ｂが配置されている。この入賞球検出スイッチ３ｂは遊技球が通過できる通過孔を有し、図４に示すように特定入賞口３ａを入球した直後の遊技球が該通過孔を通過するように配置されている。入賞球検出スイッチ３ｂは、通過孔を遊技球が通過した際の光の遮断等を検出し、検出信号を図２のＣＰＵ３２に送出する。
【００４３】
また、入賞球検出スイッチ３ｂの下方でベース板５２の裏側には、特定入賞口３ａから入球した遊技球の貯留部を複数備えた回転盤６３と、該回転盤６３を後方から収容するためのリヤベース７２（図５）が配置されている。回転盤６３は、特定入賞口３ａから入球した遊技球が、回転盤６３のいずれかの貯留部に貯留されるように配置されている（図４）。なお、回転盤６３の詳細な構成は後述する。
【００４４】
回転盤６３の下部には、この回転盤を回転させる駆動源としてのモータ６９が配置されており、回転盤６３の回転軸８０にモータの回転軸６４が連結されている。なお、モータ６９は、特定入賞装置用基板４２に接続されており、ＣＰＵ３２からの指令により回転軸８０を介して回転盤６３に回転のためのトルクを与える。
【００４５】
また、回転盤６３の上部には、幅の狭い切り欠き６５ａ（図５）を有する回転板６５が回転軸８０上に取り付けられており、回転板６５は回転盤６３の回転と共に回転する。また、回転板６５の外縁を挟むように原点検出スイッチ６６がリヤベース７２に取り付けられており、原点検出スイッチ６６は、回転盤６３の回転時に、このスイッチにより挟まれた回転板６５の部分に光を照射し、光照射部と対向する部分に設けられた光センサーで光を検出する。ここで、回転盤６３が１回転する際に切り欠き６５ａ以外の外縁が原点検出スイッチ６６を横切った場合には該スイッチからの光は遮断され、切り欠き６５ａが原点検出スイッチ６６を横切った場合には光が通過するので、この検出信号に基づいてＣＰＵ３２は、回転盤６３が１回転したか否か、或いは回転盤６３の回転位置を検知することができる。本実施の形態では、回転盤６３が１回転するように制御される。
【００４６】
また、回転盤６３の底部には、回転盤６３を底面から収容して保持するための下スロープ７３がはめ込まれており、この下スロープ７３には、回転盤６３の側面を覆うエッジ７５と、一般入賞として処理される図示しない通路に連結されるアウト孔７６と、特別装置作動領域に至る図示しない通路に連結される特別連結孔７７と、モータ６９を下スロープ７３に設置させるためのモータ孔７８と、が設けられている。
【００４７】
特別連結孔７７の下部には、特別装置作動スイッチ６７が配置されており（図４参照）、特別装置作動スイッチ６７は、特別連結孔７７を通過して特別装置作動領域に至る遊技球を検出し、検出信号をＣＰＵ３２に伝達する。ＣＰＵ３２は、特別装置作動スイッチ６７の検出信号に基づいて特別装置を作動或いは停止させる。
【００４８】
また、回転盤６３の背面には、特定入賞装置用基板４２と、この基板４２をリヤベース７２に保持するための保持部材７４とが配置されている。なお、特定入賞装置３は、特定入賞口３ａの開放中や回転盤６３の回転中などに点灯する表示灯を備えた図５の表示灯基板５７、６８を備えている。
【００４９】
次に、回転盤６３の詳細な構成を図６を用いて説明する。
まず、回転盤６３の上面図を図６（ａ）に示す。図６（ａ）に示すように、回転盤６３には、一定の角度毎に回転盤を長半円状に穿設するこにより設けられた１０個の遊技球貯留部が設けられている。この１０個の遊技球貯留部は、９個の一般貯留部８１と１個の特別貯留部８２（Ｖゾーン）とからなる。
【００５０】
一般貯留部８１は、図６（ｂ）の断面図が示すように、底面８４を有し、該底面８４は中心軸８０からの距離が大きい位置ほど高さが低くなる傾斜がつけられており、その最外縁部には障害物が設けられていない。また、特別貯留部８２には、底面が設けられておらず、特別貯留部の最外縁部には貯留された遊技球が回転盤６３の側面から流出するのを防止するための流出防止部材８３が取り付けられている。ここで、この回転盤６３を収容する下スロープ７３の上面図を図６（ｃ）に示す。
【００５１】
次に、回転盤６３の動作を図７を用いて説明する。
図７（ｃ）に示すように、回転盤６３が図の矢印方向に回転した状態で上方から流下した遊技球（特定入賞口へ入球した遊技球）は、回転盤６３のいずれかの貯留部に貯留される。
【００５２】
図７（ａ）の左図に示すように、特別貯留部８２に貯留した遊技球は、回転盤６３が図の矢印方向に回転して特別貯留部８２がアウト孔７６に面した時でも流出防止部材８３に遮られてアウト孔７６へ流出せず、図７（ａ）右図に示すように、特別貯留部８２が特別連結孔７７の真上に至った時に、貯留部に底面が設けられていないため特別装置作動領域へ遊技球が流下する。なお、図４にも遊技球が特別装置作動領域へ流下する様子が示されている。
【００５３】
これに対し、図７（ｂ）の左図に示すように、一般貯留部８１に貯留した遊技球は、回転盤６３が図の矢印方向に回転して一般貯留部８１がアウト孔７６に面した時に、底面に付けられた傾斜によって、貯留部からアウト孔７６へ流出し一般入賞として処理される。
【００５４】
ここで、特定入賞口３ａへ１個の遊技球が入球した場合、この遊技球が特別貯留部８２に貯留される確率は１／１０であるので、１個の入球で特別装置が作動して権利状態が発生する確率は１／１０となる。この権利状態が発生する確率は、特定入賞口３へ入球する遊技球が多いほど増え、１０個の遊技球が入球してすべての貯留部に貯留された場合、必ず権利状態が発生する。すなわち、特定入賞口３ａへ入球した球数によって権利状態が発生する確率が変化する。なお、特定入賞口３ａへ入球可能な球数は、特定入賞口３ａの開放時間に関係しているので、権利状態が発生する確率は特定入賞口３ａの開放時間にも依存している。
【００５５】
以上述べた構成を備えたパチンコ機の処理の流れを図８乃至図１１のフローチャートを用いて説明する。
【００５６】
図８のフローチャートに示すように、まず、遊技の際に用いられる変数の初期値などを設定する初期設定を行う（ステップ２００）。この初期設定には、普通図柄表示器２の図柄が大当たり表示に一致したときに開放される特定入賞口３ａの開放時間Ｔ1 を例えば約０．８秒（0.795 秒) に初期化する設定（ノーマルモードへの設定）も含まれている。
【００５７】
なお、開放時間Ｔ1 を０．８秒に設定した場合、大当たりが発生して特定入賞口３ａが開放しても、入賞可能な遊技球数は、通常の場合、たかだか１〜３個であり、大当たりが発生して特定入賞口３ａへ入球しても権利が発生する確率は、１／１０〜１／３程度である。このため、大当たり発生確率を上昇させる場合のない図１５（ａ）の確率非変動型のパチンコ機であることと相まって、上述のように大当たり発生確率を図１５（ｂ）、（ｃ）に示した従来の確率変動型のパチンコ機の確率１／２５０と比べて、その１０倍程度の１／２３に設定することができる。これによって、大当たりが発生して特定入賞口３ａが開放される回数が多くなり、遊技者にとって大当たりへの期待感が高まる。
【００５８】
初期設定が完了すると、次に大当たり発生処理を実行する（ステップ２０２）。この大当たり発生処理を、図１１のフローチャートに示す。
【００５９】
図１１のフローチャートによれば、普通図柄作動ゲート１に遊技球が入球したか否か、或いは、普通図柄作動ゲート１への入賞記憶があるか否かを判定する（ステップ２５０）。該ゲートへの遊技球の入球がなく、かつ、入賞記憶も無い場合（ステップ２５０否定判定）、再びステップ２５０に戻って入球があるまで待機する。なお、普通図柄作動ゲート１の入賞記憶は、所定個数（例えば４個）に限定されている。
【００６０】
普通図柄作動ゲート１に遊技球が入球した場合、又は入賞記憶がある場合（ステップ２５０肯定判定）、普通図柄表示器２の図柄が変動する（ステップ２５２）。この図柄が変動開始してから所定時間Ｔ2 が経過するまで、この図柄は変動する（ステップ２５４否定判定）。そして、図柄変動開始から所定時間Ｔ2 が経過した場合（ステップ２５４肯定判定）、普通図柄表示器２は図柄の変動を停止する（ステップ２５６）。この停止した状態で図柄の組み合わせが確定する。
【００６１】
次に、停止した図柄の組み合わせが大当たり表示に相当する組み合わせ（例えば「７７７」）であるか否かを判定する（ステップ２５８）。大当たり表示でない場合（ステップ２５８否定判定）、ステップ２５０に戻って、上記と同様の処理を繰り返す。一方、停止した図柄が大当たり表示に一致した場合（ステップ２５８肯定判定）、大当たり発生処理のルーチンをリターンし、図８のフローチャートの次のステップを実行する。
【００６２】
図８に示すように、普通図柄表示器２の図柄が大当たり表示に一致すると、特定入賞装置３が特定入賞口３ａを開放する（ステップ２０４）。このとき、特別装置が有効となる。
【００６３】
次に、入賞球検出スイッチ３ｂが特定入賞口３ａに入賞した遊技球を検出したか否かを判定する（ステップ２０５）。入賞球を検出した場合（ステップ２０５肯定判定）、特定入賞口３ａの開放からの入賞球数を累積的にカウントし（ステップ２０６）、カウントされた入賞球数が特定個数（例えば回転盤６３に貯留できる最大個数である１０個）に達した場合（ステップ２０８肯定判定）、特定入賞口３ａを閉じる（ステップ２１１）。
【００６４】
入賞球数が特定個数に達していない場合（ステップ２０８否定判定）、特定入賞口３ａの開放から設定時間Ｔ1 が経過したか否かを判定する（ステップ２１０）。開放から設定時間Ｔ1 が経過していない場合（ステップ２１０否定判定）、ステップ２０５に戻って同様の処理を繰り返し、設定時間Ｔ1 が経過した場合（ステップ２１０肯定判定）、特定入賞口３ａを閉じる（ステップ２１１）。すなわち、特定入賞口３ａを閉じる条件は、開放から設定時間Ｔ1 が経過したか或いは特定個数の入賞球が有ったかのいずれかとなる。
【００６５】
そして、特定入賞口３ａを閉じてから所定時間Ｔ3 が経過したとき（ステップ２１２肯定判定）、特別装置を無効とし（ステップ２１３）、ステップ２０２に戻って大当たり発生処理から処理を実行する。すなわち、特別装置が有効となる期間は、特定入賞口３ａの開放時より該入賞口が閉じてから所定時間Ｔ3 が経過したときまでであり、この有効期間内に常時回転する回転盤６３に貯留さた遊技球が特別装置作動領域を通過すると特別装置が作動する。
【００６６】
次に、図８のフローチャートで示された特別装置の有効期間に特別装置作動領域を遊技球が通過した場合の権利状態の発生から消滅までの処理を図９のフローチャートを用いて説明する。
【００６７】
図９のフローチャートに示すように、特別装置が有効である場合（ステップ２７６肯定判定）において、特別装置作動領域を遊技球が通過したとき（ステップ２７８肯定判定）、特別装置が作動して権利状態が発生する（ステップ２８０）。この権利が発生した状態で遊技者は第３種始動口５への入球を目指すこととなる。
【００６８】
権利が発生した状態で再び特別装置作動領域を遊技球が通過した場合（ステップ２８１肯定判定）、特別装置が作動を停止されて権利状態が消滅し（ステップ２９２）、ステップ２７６に戻って次回の権利発生まで待機する。
【００６９】
権利が発生した状態で第３種始動口５に遊技球が入賞した場合（ステップ２８２肯定判定）、大入賞口６を開放する（ステップ２８４）。遊技者は、大入賞口６へ遊技球を入賞させることにより、通常の入賞口への入賞よりも多数の遊技球を獲得できる。
【００７０】
この大入賞口の開放動作は、開放から所定時間が経過、又は大入賞口へ所定個数入賞するまで継続され（ステップ２８６否定判定）、所定時間経過又は所定個数が入賞すると（ステップ２８６肯定判定）、大入賞口６を閉じる（ステップ２８８）。
【００７１】
次に、第３種始動口５への入賞数が特定個数（例えば１６個）に達したか否かを判定する（ステップ２９０）。入賞数が１６個未満の場合（ステップ２９０否定判定）、ステップ２８１に戻り同様に大入賞口の開放処理を繰り返す。入賞数が１６個に達した場合には（ステップ２９０肯定判定）、特別装置が作動を停止されて権利状態が消滅し（ステップ２９２）、ステップ２７６に戻って次回の権利発生まで待機する。
【００７２】
次に、図８のフローチャートで示された特別装置の有効期間に特別装置作動領域を遊技球が通過した場合の開放時間変更図柄表示器７による特定入賞口３ａの開放時間の抽選処理を図１０のフローチャートを用いて説明する。なお、この抽選処理は、図９の権利発生処理と並行して行われる。
【００７３】
図１０のフローチャートに示すように、特別装置が有効である場合（ステップ２１６肯定判定）において、特別装置作動領域を遊技球が通過したとき（ステップ２１７肯定判定）、開放時間変更図柄表示器７が表示した図柄の変動を開始する（ステップ２１８）。このとき、開放時間変更図柄表示器７は「１」〜「１６」までの整数をランダムに変動表示する。なお、整数をランダムに表示する方法として、例えば割り込み周期毎に更新される乱数に対応する整数を表示する方法などがある。
【００７４】
開放時間変更図柄表示器７での図柄変動の開始から所定時間Ｔ4 が経過したか否かを判定し（ステップ２２０）、所定時間Ｔ4 が経過した場合（ステップ２２０肯定判定）は図柄変動を停止し（ステップ２２２）、図柄が確定する。
【００７５】
次に、権利状態が消滅しているか否かを判定し（ステップ２２４）、権利状態が消滅していない場合（ステップ２２４否定判定）、図９のフローチャートで示された処理を継続し、権利が消滅するまで待機する。
【００７６】
権利状態が消滅している場合（ステップ２２４肯定判定）、開放時間変更図柄表示器７の停止時の図柄がスペシャルモード突入図柄（例えば「３」、「５」、「７」）であるか否かを判定する（ステップ２２６）。開放時間変更図柄表示器７の停止時の図柄がスペシャルモード突入図柄である場合（ステップ２２６肯定判定）、次回の大当たり発生時で開放される（図８のステップ２０４）特定入賞口３ａの開放時間Ｔ1 を約４．５秒（4.493 秒；スペシャルモード）に設定する。そして、ステップ２１６に戻って次回の特別装置有効時を待機する。なお、既にスペシャルモードに設定されていた場合にスペシャルモード突入図柄が表示された場合は、スペシャルモードが継続される。
【００７７】
スペシャルモード時で大当たりが発生すると、特定入賞口３ａの開放時間が最大約４．５秒となるので、開放時間が約０．８秒に設定されていたノーマルモード時と比べて特定入賞口３ａへ入賞可能な球数が増加して権利が発生する確率が大幅に向上する。このようなスペシャルモードに当たる可能性があることにより、当初の特定入賞口３ａの開放時間が短くても遊技者は権利獲得への期待感をさらに高めることができる。
【００７８】
開放時間変更図柄表示器７の停止時の図柄がスペシャルモード突入図柄でない場合（ステップ２２６否定判定）、スペシャルモード終了図柄（例えば「２」、「４」、「６」、「８」）であるか否かを判定する（ステップ２３０）。スペシャルモード終了図柄であった場合（ステップ２３０肯定判定）、特定入賞口３ａの開放時間Ｔ1 を約０．８秒に設定し（ノーマルモード）、ステップ２１６に戻って次回の特別装置有効時を待機する。なお、既にノーマルモードに設定されていた場合にスペシャルモード終了図柄が表示された場合は、ノーマルモードが継続される。このようにスペシャルモードを終了させる場合を設けたことにより、権利状態の発生確率が高い状態が無限に継続されることを抑制し、大当たり発生確率を一定の水準以上に設定しておくことができる。
【００７９】
スペシャルモード終了図柄でない場合（ステップ２３０否定判定）、開放時間Ｔ1 の設定変更無しにステップ２１６に戻る。すなわち、スペシャルモード突入図柄及びスペシャルモード終了図柄のいずれでもない図柄（「１」、「９」〜「１６」）が表示された場合は、設定されていたモードが継続される。
【００８０】
以上のように抽選された特定入賞口３ａの開放時間Ｔ1 は、図８における次回の大当たり発生時でのステップ２１０の判定で用いられる。すなわち、スペシャルモードでは、特定入賞口３ａが最大約４．５秒開放され、ノーマルモードでは、特定入賞口３ａが最大約０．８秒開放される。このように本実施の形態では、権利が発生する毎に開放時間変更図柄表示器７により開放時間Ｔ1 の抽選を行う。
【００８１】
以上のように、本実施の形態のパチンコ機では、特定入賞口３ａを開放するための普通図柄表示器２による大当たり発生ゲームとは別に、もう一つの開放時間変更図柄表示器７による開放時間の抽選ゲームを設けたので、ゲームの仕様が拡大され、遊技者の楽しみを増大させることができる。
【００８２】
次に、特定入賞口３ａの開閉、特別装置の動作、及び権利状態の発生消滅に関するタイムチャートを図１３（ａ）〜図１３（ｄ）に示す。
【００８３】
図１３（ａ）及び図１３（ｂ）に示すように、特定入賞口３ａが開放されると同時に特別装置が有効となる。特定入賞口３ａは、ノーマルモード及びスペシャルモードのいずれが設定されているかに応じて定まる開放時間Ｔ1 だけ開放され、Ｔ1 経過後に閉じられる。特別装置は、特定入賞口が閉じてから所定時間Ｔ3 （例えば6.996 秒）は有効状態を維持し、Ｔ3 経過後に無効となる（図１３（ｂ））。
【００８４】
図１３（ｃ）に示すように、特別装置が有効となっている間に遊技球が特別装置作動領域を通過すると特別装置が作動を開始し、さらに遊技球が特別装置作動領域を通過するか、又は第３種始動口５に１６個の遊技球が入賞した時に特別装置は作動を停止する。なお、図１３（ｄ）に示すように、権利状態は特別装置の作動及び停止に応じて発生（オン）及び消滅（オフ）する。
【００８５】
なお、第１の実施の形態では、開放時間変更図柄表示器７による開放時間の抽選方法を上記例に限定するものではない。また、２つの開放時間Ｔ1 のいずれかを抽選するようにしたが、３以上の開放時間を抽選するようにしても良い。
【００８６】
（第２の実施の形態）
次に、第２の実施の形態を説明する。なお、第２の実施の形態のパチンコ機の構成は第１の実施の形態と同様であるので、同一の符号を用いて詳細な説明を省略する。
【００８７】
但し、第２の実施の形態では、図５の回転盤６３を回転させるモータ６９を、入力されたパルス信号のステップ数に応じて回転速度を変えることができるパルスモータで構成する。図２のＣＰＵ３２は、後述する各処理条件に応じて回転速度に関する指令を特定入賞装置用基板４２に伝達し、特定入賞装置用基板４２では伝達された回転速度指令に応じたパルス信号を生成してモータ６９に入力する。勿論、指令に応じて回転速度を可変であれば、パルスモータ以外のモータで構成することも可能である。
【００８８】
第２の実施の形態のパチンコ機の処理を図１２のフローチャートを用いて説明する。
図１２のフローチャートに示すように、特定入賞口３ａの開放時間Ｔ1 を例えば約０．８秒（0.795 秒) に初期化する設定（ノーマルモードへの設定）を行い（ステップ３００）、回転盤６３の回転速度（回転盤速度）ωを回転速度Ａ（１５回転／分）とする（ステップ３０２）。すなわち、大当たり発生前の回転盤６３は１分間に１５回転の回転速度Ａで回転する。なお、この回転速度Ａは回転盤６３の各貯留部の回転位置を判別可能な回転速度として定められたものである。
【００８９】
次に、大当たり発生処理を実行する（ステップ３０４）。なお、この大当たり発生処理は、上述したように図１１のフローチャートに沿って行われる。
【００９０】
普通図柄表示器２の普通図柄が大当たり表示に一致したとき（図１１のステップ２５８肯定判定）、回転盤速度ωを回転速度Ａから回転速度Ｂ（５０回転／分）に変える（ステップ３０６）。すなわち、大当たりが発生（普通図柄の役確認）すると、回転盤６３は１分間に５０回転の回転速度Ｂに高速回転する。なお、この回転速度Ｂは回転盤６３の特別貯留部８２の回転位置を判別不可能な回転速度として定められたものである。
【００９１】
そして、大当たりが発生してから所定時間Ｔ5 （7.500 秒) が経過するまで待機し（ステップ３０８否定判定）、所定時間Ｔ5 が経過すると（ステップ３０８肯定判定）、特定入賞装置３が特定入賞口３ａを開放する（ステップ３１０）。このとき、特別装置が有効となる。
【００９２】
次に、入賞球検出スイッチ３ｂが特定入賞口３ａに入賞した遊技球を検出したか否かを判定する（ステップ３１２）。入賞球を検出したとき（ステップ３１２肯定判定）、現在の回転盤速度ωが回転速度Ｂである場合に（ステップ３１４肯定判定）回転盤速度ωを回転速度Ｂから回転速度Ｃ（５回転／分）に変える（ステップ３１６）。すなわち、１球でも特定入賞口３ａを入賞した場合、回転盤６３は、一分間に５回転の低速の回転速度Ｃで回転する。この回転速度Ｃは、後述するように特定入賞口が閉じられるまで維持される。このように高速回転から低速回転に移行したことにより、球噛みや装置の誤動作を防止することができる。遊技球が入賞しても高速回転のままだと、球が一般貯留部８１からアウト孔７６へ流出する際にエッジ７５（図７）に球が挟まってしまったり、特別貯留部８２から特別連結孔７７に球が落下しない事があるからである。なお、１球も特定入賞口３ａに入賞しなかった場合は、回転盤速度は回転速度Ｂを維持する。
【００９３】
また、入賞球を検出すると、特定入賞口３ａの開放からの入賞球数を累積的にカウントし（ステップ３１８）、カウントされた入賞球数が特定個数（例えば回転盤６３に貯留できる最大個数である１０個）に達した場合（ステップ３２０肯定判定）、特定入賞口３ａを閉じる（ステップ３２４）。
【００９４】
入賞球数が特定個数に達していない場合（ステップ３２０否定判定）、又は入賞球を検出しない場合（ステップ３１２否定判定）、特定入賞口３ａの開放から設定時間Ｔ1 が経過したか否かを判定する（ステップ３２２）。開放から設定時間Ｔ1 が経過していない場合（ステップ３２２否定判定）、ステップ３１２に戻って同様の処理を繰り返し、設定時間Ｔ1 が経過した場合（ステップ３２２肯定判定）、特定入賞口３ａを閉じる（ステップ３２４）。すなわち、特定入賞口３ａを閉じる条件は、開放から設定時間Ｔ1 が経過したか或いは特定個数の入賞球が有ったかのいずれかとなる。
【００９５】
特定入賞口３ａを閉じると、回転速度Ｂ及び回転速度Ｃのいずれかである回転盤速度ωを大当たり発生前の回転速度Ａ（１５回転／分）に変える（ステップ３２６）。
【００９６】
そして、特定入賞口３ａを閉じてから所定時間Ｔ3 が経過したとき（ステップ３２８肯定判定）、特別装置を無効とし（ステップ３３０）、ステップ３０４に戻って大当たり発生処理から処理を実行する。すなわち、特別装置が有効となる期間は、特定入賞口３ａの開放時より該入賞口が閉じてから所定時間Ｔ3 が経過したときまでであり、この有効期間内に常時回転する回転盤６３に貯留さた遊技球が特別装置作動領域を通過すると特別装置が作動する。なお、権利発生から消滅までの処理及びモード抽選処理は、第１の実施の形態（図９、図１０）と同様であるので、説明を省略する。
【００９７】
次に、特定入賞口３ａの開閉及び回転盤６３の回転速度ωのタイムチャートを、開放時間Ｔ1 の延長機能が作動していないノーマルモード時と開放時間延長機能が作動中のスペシャルモードとに分けて図１４（ａ）及び図１４（ｂ）に各々示す。
【００９８】
図１４（ａ）に示すように、ノーマルモード時では、大当たり発生時に回転盤の回転速度ωが回転速度Ａから回転速度Ｂに変化し、特定入賞口は大当たり発生時から7.500 秒後に開放され、0.795 秒経過後に開放動作を終了する。この特定入賞口の開放動作中に遊技球が１個入賞すると、回転盤は回転速度Ｂから回転速度Ｃに変化する。そして、特定入賞口が閉じるときに回転速度Ｃから元の回転速度Ａに戻る。
【００９９】
図１４（ｂ）に示すように、スペシャルモード時では、大当たり発生時に回転盤の回転速度ωが回転速度Ａから回転速度Ｂに変化し、特定入賞口は大当たり発生時から7.500 秒後に開放され、4.493 秒経過後に開放動作を終了する。この特定入賞口の開放動作中に遊技球が１個入賞すると、回転盤は回転速度Ｂから回転速度Ｃに変化する。そして、特定入賞口が閉じるときに回転速度Ｃから元の回転速度Ａに戻る。
【０１００】
但し、いずれのモード時にも遊技球が特定入賞口に入賞しないで開放動作を終了した場合には、回転速度Ｃには移行せずに回転速度Ａに戻る。
【０１０１】
このように第２の実施の形態では、大当たりが発生してから特定入賞口３ａが開いて入賞球を検出するまでの間、回転盤６３を高速回転（回転速度Ｂ＝５０回転／分）させるので、遊技者にとって回転盤６３のＶゾーン（特別貯留部８２）の位置がどこにあるのか予測不可能となる。また、特定入賞口３ａが開いて入賞球を検出すると、低速回転（回転速度Ｃ＝５回転／分）させるので、遊技球の入賞するタイミングによって回転盤６３内のＶゾーンの位置が特定入賞口が開く度に異なる位置にくる。これらの点から、Ｖゾーンが入賞球を貯留可能な回転位置にくるタイミングを見計らって球を発射させるという狙い打ちを防止することができる。このため、遊技者は、権利を確実に発生させるためには、特定入賞口が開放されている間に常時遊技球を発射させる必要があり、常に極端に少ない球数で権利状態が発生することを抑制できる。
【０１０２】
なお、回転速度Ｂを、通常の回転速度Ａより大幅に大きい速度とすれば、上記効果を達成できるが、上記実施の形態で示したように、遊技者がＶゾーンの回転位置を判別可能の範囲にある回転速度の３倍程度若しくは３倍以上に設定するのが好ましい。従来のように１分間に１５回転する程度の回転速度Ａでは、回転盤６３の回転を目で追うことができるため狙い打ちが可能となるが、この３倍以上まで回転速度を上げれば目で追うことができなくなり、狙い打ちが不可能となるからである。
【０１０３】
以上が本発明の実施の形態の１例であるが、上記例にのみ限定されるものではない。例えば、本実施の形態では、普通図柄表示器２の図柄の組み合わせにより特定入賞口３ａを開放するか否かを決定しているが、本発明はこれに限るものではなく、例えばチューリップ等の役物に入賞するなど、所定の条件の成立により特定入賞口３ａを開放するか否かを決定するようにしても良い。
【０１０４】
また、第２の実施の形態は、第１の実施の形態のパチンコ機以外のパチンコ機に適用することも可能である。
【０１０５】
【発明の効果】
以上説明したように、請求項１の発明によれば、所定条件が成立したときから特定入賞口へ遊技球が入賞するまで第１の回転速度より高速の第２の回転速度で特定入賞手段の回転体を回転させるようにしたので、回転体に備えられた特別貯留部の回転位置を予測できなくなり、特別貯留部に入賞球が貯留されるタイミングを見計らって遊技球を単発して権利を獲得する狙い打ちを防止できる、という効果が得られる。
【０１０６】
請求項２の発明によれば、開放中の特定入賞口へ遊技球が入賞すると、第２の回転速度より低速の第３の回転速度で回転体を回転させ、特定入賞口が閉じたときに第１の回転速度で回転体を回転させるようにしたので、特定入賞口への入賞のタイミングによって回転体の特別貯留部の回転位置が特定入賞口が開放される毎に異なり、これにより、特別貯留部の回転位置の予測がより困難となって狙い打ちをさらに防止できる、という効果が得られる。
【０１０７】
請求項３の発明によれば、開放中の特定入賞口へ遊技球が入賞すると、第１の回転速度より低速の第３の回転速度で回転体を回転させるようにしたので、遊技者にとって特別貯留部の回転位置のタイミングを取ることがさらに困難となり、狙い打ちをさらに防止できると共に、一般貯留部に貯留された遊技球の球噛みや特別貯留部に貯留された遊技球が高速回転時に特定入賞領域への経路に振り分けられなくなるおそれを防止して誤動作を未然に防ぐことができる、という効果が得られる。
【図面の簡単な説明】
【図１】本発明の実施の形態に係るパチンコ機の遊技盤の正面図である。
【図２】本実施の形態に係るパチンコ機の裏面側要部のブロック図である。
【図３】本実施の形態に係るパチンコ機の特定入賞装置の正面図である。
【図４】本実施の形態に係るパチンコ機の特定入賞装置の断面図である。
【図５】本実施の形態に係るパチンコ機の特定入賞装置の分解図である。
【図６】本実施の形態に係る特定入賞装置を構成する回転盤及び該回転盤を底部から収容する下スロープの構成図であって、（ａ）は回転盤の上面図、（ｂ）は回転盤の断面図、（ｃ）は下スロープの上面図である。
【図７】本実施の形態に係る特定入賞装置を構成する回転盤の回転動作中の状態を示した図であって、（ａ）は特別貯留部に遊技球が貯留した状態とこの遊技球が特別装置作動領域へ流下する状態を示す図、（ｂ）は一般貯留部に遊技球が貯留した状態とこの遊技球が一般入賞として流出する状態を示す図である。
【図８】第１の実施の形態に係るパチンコ機の主要な処理の流れを示すフローチャートである。
【図９】第１の実施の形態に係るパチンコ機の権利発生から消滅までの処理の流れを示すフローチャートである。
【図１０】第１の実施の形態に係るパチンコ機のモード抽選処理の流れを示すフローチャートである。
【図１１】第１の実施の形態に係るパチンコ機の大当たり発生処理の流れを示すフローチャートである。
【図１２】第２の実施の形態に係るパチンコ機の主要な処理の流れを示すフローチャートである。
【図１３】本発明のパチンコ機に係る特定入賞口の開閉、特別装置の動作、及び権利状態の発生消滅に関するタイムチャートであって、（ａ）は特定入賞口の開閉、（ｂ）は特別装置の有効及び無効、（ｃ）は特別装置の作動および停止、（ｄ）は権利状態のオン・オフを示すタイムチャートである。
【図１４】本発明の第２の実施の形態のパチンコ機に係る特定入賞口の開閉と回転盤の回転速度との関係を示すタイムチャートであって、（ａ）はノーマルモード時、（ｂ）はスペシャルモード時のタイムチャートである。
【図１５】権利状態のオン・オフと大当たり発生確率の関係を示すタイムチャートであって、（ａ）は確率を変動させない場合、（ｂ）は確率変動回数が１回の場合、（ｃ）は確率変動回数が２回の場合のタイムチャートである。
【符号の説明】
１      普通図柄作動ゲート
２      普通図柄表示器
３      特定入賞装置
５      第３種始動口
６      大入賞口
７      開放時間変更図柄表示器
６３    回転盤
【図１】
0004150085.tif 000002
【図２】
0004150085.tif 000003
【図３】
0004150085.tif 000004
【図４】
0004150085.tif 000005
【図５】
0004150085.tif 000006
【図６】
0004150085.tif 000007
【図７】
0004150085.tif 000008
【図８】
0004150085.tif 000009
【図９】
0004150085.tif 000010
【図１０】
0004150085.tif 000011
【図１１】
0004150085.tif 000012
【図１２】
0004150085.tif 000013
【図１３】
0004150085.tif 000014
【図１４】
0004150085.tif 000015
【図１５】
0004150085.tif 000016